(57)【要約】【課題】広告効果が低い、車両等を利用した広告が多かった。広告主と二輪車の所有者との契約に基づき、二輪車のサドルに被せたサドルカバーに広告を施すことにより、一般の個人所有の二輪車のサドルに被せたサドルカバーを用いて二輪車の駐輪時に広告を行うようにしたサドルカバーを広告媒体としたアフリエイトサービスシステムを提供する。【解決手段】二輪車所有者の行動パターンを統計化し、掲載広告を決定し、また、広告効果が高い、二輪車のサドルに被せたサドルカバーの広告を、広告主と二輪車の所有者との契約に基づき、二輪車の駐輪時に広告を行う事を解決の手段とする。【選択図】  図１
2005345849.tif 000002
【特許請求の範囲】
【請求項１】
サドルカバーを媒体として広告・宣伝活動を行う広告主と一般の二輪所有者とのアフリエイトサービス
【請求項２】
二輪車保有者の二輪車での行動パターン・所有自転車で良く行く場所をデータベース化し、そのデータに基づいてサドルカバーに載せる広告主を、決定するアフリエイトサービス
【請求項３】
広告主はタイムリーさ、二輪車保有者の二輪車での行動パターン・所有自転車で良く行く場所を検討し、サドルカバーの内容を決定するアフリエイトサービス
【請求項４】
広告主は、二輪車保有者（契約をした、広告をする側のアフリエイトサービス会員、以下二輪車保有者）に広告主の生産している商品・サービスを廉価で提供することを特徴とするアフリエイトサービス
【請求項５】
広告主は提携の駐輪場を通じて、二輪車保有者に交通事故防止のための二輪車のメンテナンスを提供することを特徴とするアフリエイトサービス
【請求項６】
二輪車保有者は広告主が、決定した広告内容のサドルカバーを付ける事を特徴としたアフリエイトサービス
【請求項７】
アフリエイトサービスを行う媒体であるサドルカバーは、二輪車のサドルにタイラップのような、使い捨てで、細工した事・一旦剥がすと剥がしたことが容易に判るような、紐状のもので固定し、契約期間の終了時に、サドルカバーが一度も剥がされていないことを確認した後、サドルカバーを剥がすようにしたことを特徴とするサドルカバーを媒体として行うアフリエイトサービス。
【請求項８】
サドルカバーには、一般人・大衆が電子読み取り機で読み取る事のできるにICタグを埋め込む事を特徴とする請求項１のアフリエイトサービス
【請求項９】
広告主は物理的に、二輪車所有者の二輪車のサドル表面に穴が空いていて、雨の翌日などお尻が汚れていた二輪車所有者を、サドルカバーによってお尻の汚れ無い事を提供することを特徴とするアフリエイトサービス。
【請求項１０】
一般人・大衆が電子読み取り機でインプットして、そのインプットしたものを利用・アウトプットした回数、または一般人・大衆が読み取り機でインプットした回数に応じて請求項４、または、アフリエイト契約の二輪車保有者（アフリエイトサービス会員）の特典の度合いが変化する事を特徴としたアフリエイトサービス。
【請求項１１】
広告主と二輪車の所有者とのアフリエイト契約とは、利害関係であるが、二輪車の所有者はアフリエイト契約「何らかの特典を受け取っているのだ」・「自分は広告をしているのだ」と言う心理的要因により、放置自転車・迷惑駐輪の軽減され、社会的好影響を生むアフリエイトサービス
【請求項１２】
広告主と二輪車の所有者とのアフリエイト契約とは、利害関係であるが、広告主は、二輪車の所有者の「私はこの広告主の広告をしているんだ」という心理的影響を得る事により、二輪車の所有者の購買行動の影響力を持つ事が出来ると言う特典を生むアフリエイトサービス。
【請求項１３】
請求項１、２，３，４，５，６，７，８、９．１０．１１．又は１２をサドル本体（サドルの付いているパイプごと）を媒体として行うアフリエイトサービス
【請求項１４】
請求項１、２，３，４，５，６，７，８、９．１０．１１．１２又は１３を三輪車で行うアフリエイトサービス
【発明の詳細な説明】
【技術分野】
【０００１】
本発明は、二輪車のサドルに被せたサドルカバーを用いた広告方法を媒体としたアフリエイトサービスに関するものである。
【発明の開示】
【発明が解決しようとする課題】
【０００２】
車両等を利用した従来の広告。それは、利害関係が一致していないと言う根本的問題点・課題があった。それをアフリエイトと言う形で解決する事を目標とする。また、広告効果が従来は低い。それを解決する。
【０００３】
根本的な利害関係の一致を目指す。
例えば、広告なんかしたくないと言う気持ちがある。初歩的であるが、所有自転車のサドルに穴が空いていて、雨の翌日など汚れる。それを新品のサドルカバーがあったら、広告が載っていても、喜んで付ける、初歩的な事柄であるが、広告主、広告をしている側にも、利害関係の一致を求める事を目標とする。
【０００４】
広告の効果という観点では下記を目標とする。
１、ターゲッティングができていない。例えば、ベジタリアンにハンバーガーの広告を打つような事をしている。興味のある人に興味のある広告を行うことを目標とする。
【０００５】
２、頭脳を使わない作業を行う時は、視覚的情報などが、頭にインプットされ易いが、それを十分行えていない。それを行えるようにする事を目標とする。
【０００６】
３、時間的にその直後、自由に行動できる地点での広告は、広告効果が高い。その事を目標とする
【０００７】
４、口コミ・知人に話す事で、広告効果は格段に上がる。その事を目標とする。
【課題を解決するための手段】
【０００８】
駐輪場に置かれている事により、課題の２は、自転車のカギを外す・掛ける、手袋・グラブを付ける、自分の自転車の置けるスペースがある場所を探す・自分の二輪車を探す、自転車のカゴから、荷物を取り出す・大量に買った荷物・図書館から借りた書籍を二輪車に乗せる、ヘルメットを被る・脱ぐ。これらの行為は頭脳を使わない作業である。頭脳をあまり使わない作業・ルーティーンのいつもの作業中は、広告効果が高い。
【０００９】
課題の３の手段は、駐輪場から出る際とは、これから、自由に動き回れる、瞬間である。そうでない場合もと考えられるが、特に特記すべきは、二輪車である。二輪車の場合は、これから、自由に動き回れる度合いが、極めて大きい。二輪車で、駐輪場から、出る直前に見た広告。帰宅する前の自由な行動への段階での広告は広告の効果が極めて高い。
【００１０】
課題４、学校の駐輪場・公民館の駐輪場・職場の駐輪場は、知人に会う前の最後の地点である。知人に会った瞬間の最新の情報が、その広告である。最初の話題へ、口コミへ、広告効果は（特に映画の情報・ゲームの情報など）極めて高い。
【００１１】
課題１、例えば、図書館に良く行く人のサドルには、映画ロードショーの広告・老眼鏡の広告。病院・整形外科に午前中、通っている人のサドルには運動靴の広告。スポーツクラブに良く行く人の二輪車のサドルカバーには、ビールの広告。
平日、昼間、午後四時ごろ、図書館に良く行く人のには、スーバーマーケットの例えば「木曜日は乳製品３０％引」と言うような広告。大学に二輪車で通学している人には、テレビゲームの広告。歯医者には歯磨き粉、コインランドリ−・銭湯には洗剤の広告。ターゲッティングする事により、広告効果は向上する。ターゲッティングは、二輪車の保有者の二輪車での行動パターンを統計化し、二輪車の保有者が良く行く場所に関した広告・良く行く場所に集まる人が、興味を持っていそうな広告を二輪車の保有者のサドルカバーに決定することによって行う。以上二輪車のサドルカバーを広告媒体とした広告により、課題を解決する手段とする。また、不正防止のため、サドルカバーを不正防止の策を施す。
【発明の効果】
【００１２】
本発明により、広告効果が高まると言う効果の他、上記したが、様々な心理的好影響・効果を得る。従来、このような個人主導の広告は、広告しても、しなくてもと言うようなモノが多く利害関係が発揮されておらず、上手く行ってなかった。広告方法が上手く行くとは、利害関係が構築されなければならない。例えば、以下のような利害関係が生じる。
【００１３】
サドルは、穴が空きやすい・また、イタズラでカッターなどで割かれる事も（それ故、サドルカバーが市販されている訳だが）多かった。サドルに穴が空いている二輪車保持者の場合、サドルカバー自体が、衣服が汚れない・濡れないと言うメリットが生まれる。
【００１４】
二輪車の所有者は、自転車・バイクのメンテナンスを受けられると言うアフリエイト契約内容により、メンテナンスにより交通事故を免れ易いと言うメリットが生まれる。
【００１５】
広告主は、二輪車の所有者の「私はこの広告主の広告をしているんだという」心理的影響を得る事により、二輪車の所有者の購買行動の影響力を持つ事が出来ると言うメリットが生まれる。
【００１６】
このように、広告方法が上手く行くような利害関係が、広告効果が高まるという効果に繋がる。
【００１７】
また、「何らかの特典を受け取っているのだ」と言うような心理に作用して、放置自転車・迷惑駐輪の軽減と言う効果を得る。
【図面の簡単な説明】
【００１８】
また、課題を解決している。
【００１９】
【図１】本発明のフローチャート図である。
【符号の説明】
【００２０】
１  二輪車保有者の自転車に取り付けるべきサドルカバー
２  多々有る中の一社の広告主
【図１】
2005345849.tif 000003